(57)【特許請求の範囲】
【請求項１】
剥離シートからシートを剥離するピールプレートを含むシート繰出ユニットと、テーブルに支持された板状部材に前記シートを押圧して貼付する押圧ローラとを備えたシート貼付装置において、
前記ピールプレートは、前記板状部材の大きさ若しくはテーブルの大きさに応じて進退可能に設けられるとともに、前記シートの貼付が完了したときのピールプレートの先端が前記板状部材の端近傍若しくはテーブルの外縁に略接する位置となるように設けられていることを特徴とするシート貼付装置。
【請求項２】
前記ピールプレートは、前記押圧ローラが板状部材の一端から他端に向って移動するときに前記テーブルの上方所定位置から当該テーブルに近づく方向に移動することを特徴とする請求項１記載のシート貼付装置。
【発明の詳細な説明】
【技術分野】
【０００１】
本発明はシート貼付装置に係り、更に詳しくは、半導体ウエハ等の板状部材にシートを貼付するにあたり、シートの無駄を防止してシートの貼付を行うことのできるシート貼付装置に関する。
【背景技術】
【０００２】
従来より、半導体ウエハ（以下、単に、「ウエハ」と称する）には、その回路面を保護するための保護シートを貼付したり、裏面にダイボンディング用の接着シートを貼付したりすることが行われている。
【０００３】
このようなシートの貼付装置としては、帯状の剥離シートに帯状の接着シートが仮着された原反を用い、前記剥離シートから接着シートを剥離してウエハに貼付した後に、ウエハ外周に沿ってカットするシート貼付装置が知られている（例えば、特許文献１参照）。
【０００４】
【特許文献１】特開２００４−４７９７６号公報
【発明の開示】
【発明が解決しようとする課題】
【０００５】
しかしながら、特許文献１に開示されたシート貼付装置にあっては、ウエハの上面にシートを繰り出すためのガイドローラ２８群が繰出動作を停止している間つまり、貼付動作から、切断動作、剥離動作の間、常にシートの接着剤層を挟み込んでいるため、筋状の凹部をシート幅方向に形成してしまう構成となっている。そのため、ウエハのように数十ミクロンまで極薄に研削される板状部材では、凹部跡が残るシートを使用すると厚みが不均一となったり、研削時にウエハが割れたりするため、凹部領域はウエハへの貼付領域に使用することはできない。そこで、その凹部領域が含まれないようにシート送りを行えばよいが、それではシートを無駄に消費してしまう、という不都合が生じる。
【０００６】
このような不都合は、ガイドローラ２８群をウエハの外縁に非常に接近した位置に設定することで対応することが可能となるが、ウエハの大きさに応じてテーブルの大きさを変更した場合に対応できず、シートの無駄な消費は回避し得ないものとなる。
【０００７】
なお、筋状の凹部跡による前述の不都合は、ピールプレートを用いた場合にも生ずることとなる。すなわち、ピールプレートの先端位置で剥離シートから剥離されたシートは、繰出動作が停止している間において、ピールプレートの先端縁に接するシート部分に幅方向に筋状の凹部跡を形成してしまうことになり、この凹部跡が形成された部分も除外してウエハに貼付する必要があるためである。
【０００８】
［発明の目的］
本発明は、前述した不都合に着目して案出されたものであり、その目的は、間欠的な繰出動作によって形成されるシートの凹部跡を貼付領域に含まれないように除外しても、シートの無駄を極力無くして板状部材に貼付することができるシート貼付装置を提供することにある。
【課題を解決するための手段】
【０００９】
前記目的を達成するため、本発明は、剥離シートからシートを剥離するピールプレートを含むシート繰出ユニットと、テーブルに支持された板状部材に前記シートを押圧して貼付する押圧ローラとを備えたシート貼付装置において、
前記ピールプレートは、前記板状部材の大きさ若しくはテーブルの大きさに応じて進退可能に設けられるとともに、前記シートの貼付が完了したときのピールプレートの先端が前記板状部材の端近傍若しくはテーブルの外縁に略接する位置となるように設けられる、という構成を採っている。
【００１０】
本発明において、前記ピールプレートは、前記押圧ローラが板状部材の一端から他端に向かって移動するときに前記テーブルの上方所定位置から当該テーブルに近づく方向に移動する、という構成を採っている。
【発明の効果】
【００１２】
本発明によれば、ピールプレートが進退可能に支持されているので、板状部材の大きさ若しくはテーブルの大きさに応じてピールプレートの先端位置を前進若しくは後退させることで凹部跡が残る部分の位置調整を行うことができる。従って、各板状部材に貼付すべきシート領域間のマージンを短く設定するとともに、当該マージン内に凹部跡を位置させてシートの繰出動作を実現してシートの無駄な消費を回避することができる。
【００１３】
また、シートが貼付されるに従ってピールプレートがテーブル側に移動する構成となるため、シートの貼付完了状態でピールプレートの先端がテーブルの外縁に略一致する程度に位置設定しておけば、最も無駄の少ないシート繰り出しが可能となる。
【００１４】
更に、ピールプレートの移動がシートの貼付角度を一定に維持する状態で行われるので、シートの張力を一定に保つことができるようになり、シートの貼付を精度よく行うことができる。
【発明を実施するための最良の形態】
【００１５】
以下、本発明の実施の形態について図面を参照しながら説明する。
【００１６】
図１には、本実施形態に係るシート貼付装置の概略正面図が示され、図２には、その概略斜視図が示されている。これらの図において、シート貼付装置１０は、ベース１１の上部に配置されたシート繰出ユニット１２と、板状部材としてのウエハＷを支持するテーブル１３と、ウエハＷの上面側に繰り出された接着シートＳに押圧力を付与してウエハＷに貼付する押圧ローラ１４と、ウエハＷに接着シートＳを貼付した後に当該ウエハＷの外縁に沿って接着シートＳを切断するカッター１５と、ウエハＷの外側の不要接着シートＳ１をテーブル１３の上面から剥離する剥離装置１６と、不要接着シートＳ１を巻き取る巻取装置１７とを備えて構成されている。
【００１７】
前記シート繰出ユニット１２は、帯状の剥離シートＰＳの一方の面に帯状の接着シートＳが仮着されたロール状の原反Ｌを支持する支持ローラ２０と、この支持ローラ２０から繰り出された原反Ｌを急激に反転して接着シートＳを剥離シートＰＳから剥離するピールプレート２２と、剥離シートＰＳを巻き取って回収する回収ローラ２３と、支持ローラ２０と回収ローラ２３との間に配置された複数のガイドローラ２５〜３１と、ガイドローラ２５，２６間に配置されたバッファローラ３３と、ガイドローラ２７，２８間に配置された張力測定手段３５と、ピールプレート２２、ガイドローラ２７，２８，２９及び張力測定手段３５を一体的に支持する貼付角度維持手段３７とを備えて構成されている。なお、前記ガイドローラ２７，２９には、ブレーキシュー３２，４２が併設されており、これらブレーキシュー３２，４２は、接着シートＳをウエハＷに貼付する際に、シリンダ３８、４８によって対応するガイドローラ２７，２９に対して進退することによって接着シートＳを挟み込んでその繰出を抑制するようになっている。
【００１８】
前記張力測定手段３５は、ロードセル３９と、当該ロードセルに支持されて前記ピールプレート２２の基部側に位置する張力測定ローラ４０とにより構成されている。張力測定ローラ４０は、ガイドローラ２７とブレーキシュー３２とで挟み込まれて前記押圧ローラ１４との間に繰り出された接着シートＳの張力により引っ張られることで、ロードセル３９にその張力を伝えるように構成されている。そして、前記ロードセル３９は、前記繰り出された接着シートＳの張力を測定しながら貼付角度維持手段３７を介して、後述する繰出ヘッド４９が図１中斜め下方へ変位することによって接着シートＳの張力を一定に保つようになっている。
【００１９】
前記貼付角度維持手段３７は、前記押圧ローラ１４と相互に作用してウエハＷに対する接着シートＳの貼付角度θを一定に保つように構成されている。この貼付角度維持手段３７は、ガイドローラ２７，２８，２９、ロードセル３９、張力測定ローラ４０、ブレーキシュー３２，４２，シリンダ３８，４８，ピールプレート２２及びこれらを支える一対のスライド板４３，４３により構成された繰出ヘッド４９と、当該繰出ヘッド４９を上下に案内する一対のガイドレール４５，４５と、繰出ヘッド４９に昇降力を付与する一対の単軸ロボット４６，４６とを備えて構成されている。ガイドレール４５及び単軸ロボット４６は傾斜姿勢に配置されており、この傾斜角度に沿って繰出ヘッド４９が昇降可能となっている。なお、ピールプレート２２は、スライド板４３の内側に配置されたシリンダ５０に支持されており、図１中Ｘ方向に進退可能に設けられ、これにより、ウエハＷの直径に応じてピールプレート２２の先端位置調整を行えるようになっている。
【００２０】
前記テーブル１３は、図３に示されるように、平面視略方形の外側テーブル５１と、平面視略円形の内側テーブル５２とにより構成されている。外側テーブル５１は内側テーブル５２を受容可能な凹状に設けられているとともに、単軸ロボット５４を介してベース１１に対して昇降可能に設けられている。この一方、内側テーブル５２は、単軸ロボット５６を介して外側テーブル５１に対して昇降可能に設けられている。従って、外側テーブル５１と内側テーブル５２は、一体的に昇降可能であるとともに、相互に独立して昇降可能とされ、これにより、接着シートＳの厚み、ウエハＷの厚みに応じて所定の高さ位置に調整できるようになっている。
【００２１】
前記押圧ローラ１４は、門型フレーム５７を介して支持されている。門型フレーム５７の上面側には、シリンダ５９，５９が設けられており、これらシリンダ５９の作動により押圧ローラ１４が上下に昇降可能に設けられている。なお、門型フレーム５７は、図２に示されるように、単軸ロボット６０及びガイドレール６１を介して図１中Ｘ方向に移動可能に設けられている。
【００２２】
前記カッター１５は、テーブル１３の上方位置で図示しない昇降装置を介して昇降可能に設けられている。このカッター１５は、回転中心軸６５に固定された回転アーム６６と、この回転アーム６６に支持されたカッター刃６７とにより構成され、当該カッター刃６７を回転中心軸６５回りに回転させることで、ウエハＷの外縁に沿って接着シートＳを切断できるようになっている。
【００２３】
前記剥離装置１６は、図１及び図４、図５に示されるように、小径ローラ７０と、大径ローラ７１とにより構成されている。これら小径ローラ７０及び大径ローラ７１は、移動フレームＦに支持されている。この移動フレームＦは、図２中Ｙ方向沿って相対配置された前部フレームＦ１と、この前部フレームＦ１に連結部材７３を介して連結された後部フレームＦ２とからなり、後部フレームＦ２は、単軸ロボット７５に支持されている一方、前部フレームＦ１は、前記ガイドレール６１に支持され、これにより、移動フレームＦは、図２中Ｘ方向に移動可能となっている。大径ローラ７１は、図１に示されるように、アーム部材７４に支持されているとともに、当該アーム部材７４はシリンダ７８によって大径ローラ７１が小径ローラ７０に対して離間、接近する方向に変位可能とされている。
【００２４】
前記巻取装置１７は、移動フレームＦに支持された駆動ローラ８０と、回転アーム８４の自由端側に支持され、ばね８５を介して駆動ローラ８０の外周面に接して不要接着シートＳ１をニップする巻取ローラ８１とにより構成されている。駆動ローラ８０の軸端には、駆動モータＭが配置されており、当該モータＭの駆動により、駆動ローラ８０が回転し、巻取ローラ８１がこれに追従回転することで不要接着シートＳ１が巻き取られるようになっている。なお、巻取ローラ８１は、巻取量が増大するに従って、ばね８５の力に抗して図１中右方向へ回転することとなる。
【００２５】
次に、本実施形態における接着シートＳの貼付方法について、図４及び図５をも参照しながら説明する。
【００２６】
初期設定において、支持ローラ２０から繰り出される原反Ｌは、ピールプレート２２の先端位置で剥離シートＰＳから接着シートＳが剥離され、剥離シートＰＳのリード端は、ガイドローラ２８，２９を経由して回収ローラ２３に固定される。この一方、接着シートＳのリード端は、押圧ローラ１４，剥離装置１６を経由して巻取装置１７の巻取ローラ８１に固定される。この際、繰出ヘッド４９の先端を構成するピールプレート２２は、最上昇位置（図１、図４（Ａ）参照）にあり、当該ピールプレート２２と押圧ローラ１４との間の接着シートＳは、図１に示されるように、テーブル１３上に配置されるウエハＷの面に対して所定の貼付角度θとなるように設定されている。また、ピールプレート２２は、当該ピールプレート２２と押圧ローラ１４との間の接着シートＳの長さが、ウエハＷの一端から他端、すなわち図４中右端から左端までの長さよりも僅かに長くなるように、シリンダ５０を介して先端の位置調整が行われる。
【００２７】
図示しない移載アームを介してテーブル１３上にウエハＷがセットされた状態で貼付動作が開始される。なお、貼付動作に先立って、ガイドローラ２７、２９にはブレーキシュー３２，４２が当接して接着シートＳの繰り出しが抑制される。そして、テーブル１３が静止した状態で、押圧ローラ１４が回転しながらウエハＷ上を図４中左側に移動する。この押圧ローラの移動に伴って、接着シートＳには張力が加わり、張力測定ローラ４０がＸ方向へ引っ張られることとなる。そこでロードセル３９がその張力を測定することによって、所定張力を維持するために貼付角度維持手段３７を使って繰出ヘッド４９を斜め下方へ下げる。つまり、ロードセル３９が張力を測定し、そのデータを基に所定の張力となるように一対の単軸ロボット４６に指令を出すように制御される。
従って、結果的に、繰出ヘッド４９が、ガイド４５及び単軸ロボット４６（図１参照）の傾斜角度に沿って次第に下降し、これにより、ピールプレート２２の先端と押圧ローラ１４との間の接着シートＳの長さが短くなっても貼付角度θが常に一定となるように維持されることとなる。
【００２８】
本実施形態では、上記のように押圧ローラ１４が貼付動作を行う間、ロードセル３９によって接着シートＳの張力を測定しながら繰出ヘッド４９を下降させるので、結果的に貼付角度θが維持されることになるが、繰出ヘッド４９の下降制御はロードセル３９を省略することもできる。すなわち、図４（Ａ）に示されるように、押圧ローラ１４の最下点の位置と、ピールプレート２２の貼付時初期の先端位置をそれぞれＰ１，Ｐ２とし、接着シートＳを貼り終えた時点のピールプレートの先端位置をＰ３とし、角Ｐ２，Ｐ１，Ｐ３の貼付角度をθとしたとき、押圧ローラ１４が単軸ロボット６０によって移動して点Ｐ１，Ｐ３の距離が短くなるに従い、ピールプレート２２の高さすなわち、点Ｐ２，Ｐ３間の距離も短くなるように貼付角度維持手段３７を構成する繰出ヘッド４９をガイドバー４５に沿って下降させて、常に貼付角度θを維持するように単軸ロボット４６、６０を同期制御することもできる。なお、繰出ヘッド４９の移動量は三角関数によって簡単に導き出せる。このように押圧ローラ１４の移動距離の検出に基づいて貼付角度θを一定に維持することで、ロードセル３９を用いた張力制御と同様の作用、効果を生じせしめることができ、本発明においては、これらの制御を選択的に採用することができる。
【００２９】
図４（Ｄ）、（Ｅ）に示されるように、接着シートＳの貼付が完了すると、カッター１５が下降してウエハＷの外周縁に沿って接着シートＳの切断を行い、その後にカッター１５が上昇して初期位置（図１参照）に復帰する。この際、ピールプレート２２の先端はウエハＷの左端近傍に位置し、これにより、ピールプレート２２の先端位置から左側に存在する接着シート領域を次のウエハＷへの接着領域とすることができ、接着シートＳを無駄に消費することがないようになっている。
【００３０】
次いで、ウエハＷが移載装置を介してテーブル１３から取り去られると、図５に示されるように、押圧ローラ１４が上昇し、剥離装置１６を構成する小径ローラ７０及び大径ローラ７１が左側に移動するとともに、巻取装置１７の駆動ローラ８０が駆動して不要接着シートＳ１を巻き取ることで、ウエハＷ回りの不要接着シートＳ１をテーブル１３の上面から剥離することができる。
【００３１】
そして、ブレーキシュー３２，４２がガイドローラ２７，２９から離れて原反Ｌの繰り出しを可能とすると共に、駆動ローラ８０がロックした状態で剥離装置１６と巻取装置１７が初期位置に復帰することによって、新しい接着シートＳが引き出され、新たなウエハＷが再びテーブル１３上に移載される。
【００３２】
貼付対象となるウエハＷの大きさが変更された場合、例えば、図６（Ａ）から図６（Ｂ）の大きさに変更された場合には、平面積が相対的に小さいテーブル１３が採用される。この場合には、押圧ローラ１４の初期位置は、左側にシフトされて設定される一方、ピールプレート２２の初期位置は、シリンダ５０によって右側へシフトしてテーブル１３側に接近した位置に設定され、これにより、貼付角度θが維持されるように設定される。
【００３３】
従って、小さいテーブル１３が採用された場合でも、ピールプレート２２を前進させて初期位置を設定することで、接着シートＳの貼付が完了したときのピールプレート２２の先端を、テーブル１３の外縁に略接する位置に保つことができるため、当該ピールプレート２２の先端位置から左側のシート領域を次のウエハへの貼付領域として利用することができ、ピールプレート２２の先端で形成される凹部跡がウエハへの貼付領域に含まれないようにした上で、接着シートＳを無駄なく貼付することが可能となる。
【００３４】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００３５】
例えば、前記実施形態では、板状部材がウエハである場合を示したが、ウエハ以外の板状部材にシート、フィルムを貼付する構成にも適用することができる。
【００３６】
また、本実施形態では、ピールプレート２２の先端位置調整にシリンダ５０を用いて、二通りのウエハサイズの切換えを示したが、これに変えて位置制御のできる単軸ロボットを用いれば、多種のウエハサイズの切換えに対応することができる。
【図面の簡単な説明】
【００３７】
【図１】本実施形態に係るシート貼付装置の概略正面図。
【図２】前記シート貼付装置の概略斜視図。
【図３】テーブルの概略断面図。
【図４】接着シートの貼付動作説明図。
【図５】剥離装置による不要接着シートの剥離動作説明図。
【図６】（Ａ）及び（Ｂ）は、テーブルを変更した場合の押圧ロール及びピールプレートの初期位置を示す説明図。
【符号の説明】
【００３８】
１０  シート貼付装置
１２  シート繰出ユニット
１４  押圧ローラ
２２  ピールプレート
５０  シリンダ
ＰＳ  剥離シート
Ｓ  接着シート
Ｗ  ウエハ（板状部材）
θ  貼付角度
【図１】
0004441451.tif 000002
【図２】
0004441451.tif 000003
【図３】
0004441451.tif 000004
【図４】
0004441451.tif 000005
【図５】
0004441451.tif 000006
【図６】
0004441451.tif 000007